(57)【特許請求の範囲】
【請求項１】
掘削ヘッドを回転させて地盤を掘削する掘削装置における前記掘削ヘッドに着脱可能に備えられる地盤試料採取装置であって、
地盤を切削する切削チップと、
前記切削チップによって切削された地盤試料を取り込むための取込口がその下端に形成された試料採取部と、
を備え、
前記切削チップは、前記取込口の周囲に設けられており、
前記取込口には、前記掘削ヘッドが地盤を掘削する正方向に回転する際には前記取込口を閉蓋し、前記掘削ヘッドが逆方向に回転する際に前記取込口を開蓋する蓋部が備えられており、
前記掘削ヘッドに取り付けた当該地盤試料採取装置を、前記地盤試料を採取する目的深度に到達するまで正方向に回転させ、前記目的深度に到達した当該地盤試料採取装置を逆方向に回転させて前記蓋部を開蓋した後、再度当該地盤試料採取装置を正方向に回転させて前記切削チップによって切削した前記地盤試料を前記試料採取部内に採取することを特徴とする地盤試料採取装置。
【請求項２】
前記試料採取部内に取り込んだ前記地盤試料を保持するサンプル保持部を備えることを特徴とする請求項１に記載の地盤試料採取装置。
【請求項３】
請求項１又は２に記載の地盤試料採取装置を用いる地盤試料採取方法であって、
掘削ヘッドを回転させて地盤を掘削する掘削装置で地盤を掘削する過程において、前記地盤の試料採取が必要となった際に、前記掘削ヘッドに前記地盤試料採取装置を取り付けて、目的深度まで前記地盤試料採取装置を正方向に回転させ、前記目的深度に到達した前記地盤試料採取装置を逆方向に回転させて前記蓋部を開蓋した後、再度前記地盤試料採取装置を正方向に回転させて前記切削チップによって切削した前記地盤試料を前記試料採取部内に取り込み、前記目的深度の地盤試料を前記地盤試料採取装置によって採取することを特徴とする地盤試料採取方法。
【発明の詳細な説明】
【技術分野】
【０００１】
本発明は、地盤試料採取装置及び地盤試料採取方法に係り、特に掘削中の地盤の試料を採取する地盤試料採取装置及び地盤試料採取方法に関する。
【背景技術】
【０００２】
従来、先端に装着した掘削工具を回転させて、地盤を掘削する掘削装置が知られている（例えば、特許文献１参照。）。
この掘削装置を用いて所定の掘削地点を掘削する場合、その掘削地点近傍における柱状図などの地盤情報を参考にして、掘削地点の地盤の地質を判断し、その地盤に適した掘削工具を掘削装置に取り付けて掘削作業を行う。
【特許文献１】特開２００２−１２９８６１号公報
【発明の開示】
【発明が解決しようとする課題】
【０００３】
しかしながら、上記従来技術の場合、参考にした地盤情報と実際の掘削地点での地盤とに相違があった際に、その地盤情報に基づき選択した掘削工具に何らかの不具合が発生するなどして、掘削不能となってしまうことがあった。そのような場合、その掘削地点における確かな地盤情報を取得するために、その掘削地点の地盤調査を行う必要が生じる。
そして、その掘削地点における新たな地盤調査を行うとなると、掘削中の掘削装置を撤去した後にボーリング装置の設置を行わなければならず、また、ボーリング調査後にボーリンク装置を撤去し、再度掘削装置を設置しなければならないので、その費用や時間のロスが問題となることがあった。
【０００４】
本発明の目的は、掘削中の地盤の試料を採取することができる地盤試料採取装置及び地盤試料採取方法を提供することである。
【課題を解決するための手段】
【０００５】
以上の課題を解決するため、請求項１に記載の発明は、例えば、図１〜４、図９に示すように、
掘削ヘッド（例えば、図４、図６のオーガヘッド５０）を回転させて地盤を掘削する掘削装置（例えば、図６の掘削装置１００）における前記掘削ヘッドに着脱可能に備えられる地盤試料採取装置（１）であって、
地盤を切削する切削チップ（３）と、
前記切削チップによって切削された地盤試料を取り込むための取込口（２ａ）がその下端に形成された試料採取部（例えば、パイプ部２）と、
を備え、
前記切削チップは、前記取込口の周囲に設けられており、
前記取込口には、前記掘削ヘッドが地盤を掘削する正方向に回転する際には前記取込口を閉蓋し（図５（ａ）参照）、前記掘削ヘッドが逆方向に回転する際に前記取込口を開蓋する（図５（ｂ）参照）蓋部（５）が備えられており、
前記掘削ヘッドに取り付けた当該地盤試料採取装置を、前記地盤試料を採取する目的深度に到達するまで正方向に回転させ、前記目的深度に到達した当該地盤試料採取装置を逆方向に回転させて前記蓋部を開蓋した後、再度当該地盤試料採取装置を正方向に回転させて前記切削チップによって切削した前記地盤試料を前記試料採取部内に採取することを特徴とする。
【０００６】
請求項１に記載の発明によれば、切削チップによって切削された地盤試料を試料採取部に取り込むことができる地盤試料採取装置を、掘削装置の掘削ヘッドに装着することができる。
そして、掘削装置の掘削ヘッドを回転させて所定の掘削地点の地盤を掘削する過程において、その掘削ヘッドによる地盤の掘削が不能となった場合に、その掘削ヘッドに地盤試料採取装置を取り付けて、掘削不能となった地盤の地盤試料を地盤試料採取装置によって採取することができる。
【０００７】
つまり、掘削中の掘削装置を掘削地点から移動させることなく、また、ボーリング調査用の専用装置を掘削地点に設置することなく、その掘削地点の地盤の地盤試料を採取することができるので、この地盤試料採取装置を使用することによって、より短時間に低コストで地盤調査を行うことができる。
また、地盤試料採取装置によって、掘削中である掘削地点における地盤の地盤試料を採取することができるので、その掘削地点のより正確な地盤情報を得ることができる。そして、その正確な地盤情報に基づいて、その掘削地点に適した掘削ヘッドや掘削手法を検討することが可能になる。
【０００８】
また、試料採取部が地盤試料を取り込む取込口には、地盤試料を採取する際に、その取込口を開蓋する蓋部が備えられているので、地盤試料採取装置は、地盤試料を採取すべき掘削位置（掘削深度）以外の地盤サンプルを試料採取部に取り込んで採取してしまうことなく、所望する掘削位置（掘削深度）の地盤試料を好適に採取することができる。
また、地盤試料採取装置に備えられる蓋部は、掘削ヘッドが地盤を掘削する正方向に回転する際には取込口を閉蓋し、掘削ヘッドが逆方向に回転する際に取込口を開蓋することができるので、所望する掘削位置（掘削深度）までは、掘削ヘッドを正回転させて取込口を蓋部で閉蓋した状態で土砂などを掻き分けるように、その掘削ヘッドを地中に送り込む。そして、掘削不能となった地盤に掘削ヘッドが到達し、地盤試料採取装置がその地盤に突き当たった状態で、掘削ヘッドを逆回転させることによって取込口が開蓋するので、その地盤の地盤試料を地盤試料採取装置の試料採取部に取り込んで採取することができる。
よって、地盤試料採取装置は、地盤試料を採取すべき掘削位置（掘削深度）以外の地盤サンプルを試料採取部に取り込んで採取してしまうことなく、所望する掘削位置（掘削深度）の地盤試料をより好適に採取することができる。
よって、この地盤試料採取装置を用いることにより、掘削中の地盤の地盤試料を好適に採取することができ、掘削作業を良好に進めることが可能になる。
【０００９】
請求項２に記載の発明は、請求項１に記載の地盤試料採取装置であって、例えば、図１０に示すように、
前記試料採取部内に取り込んだ前記地盤試料を保持するサンプル保持部（７）を備えることを特徴とする。
【００１０】
請求項２に記載の発明によれば、地盤試料採取装置の試料採取部に取り込んだ地盤試料をサンプル保持部で支持し保持することができ、試料採取部内に取り込んだ地盤試料が脱落してしまうことを防ぐことができる。
【００１３】
請求項３に記載の発明は、請求項１又は２に記載の地盤試料採取装置を用いる地盤試料採取方法であって、例えば、図６〜９に示すように、
掘削ヘッド（例えば、オーガヘッド５０）を回転させて地盤を掘削する掘削装置（１００）で地盤を掘削する過程において、前記地盤の試料採取が必要となった際に、前記掘削ヘッドに前記地盤試料採取装置（１）を取り付けて、目的深度まで前記地盤試料採取装置を正方向に回転させ、前記目的深度に到達した前記地盤試料採取装置を逆方向に回転させて前記蓋部（５）を開蓋した後、再度前記地盤試料採取装置を正方向に回転させて前記切削チップ（３）によって切削した前記地盤試料を前記試料採取部（例えば、パイプ部２）内に取り込み、前記目的深度の地盤試料を前記地盤試料採取装置によって採取することを特徴とする。
【００１４】
請求項３に記載の発明によれば、掘削ヘッドを回転させて地盤を掘削する掘削装置で地盤を掘削する過程において、地盤の試料採取が必要となった場合に、切削チップによって切削された地盤試料を試料採取部に取り込むことができる地盤試料採取装置を掘削装置の掘削ヘッドに取り付けて、目的深度の地盤の地盤試料を地盤試料採取装置によって採取することができる。
つまり、掘削中の掘削装置を掘削地点から移動させることなく、また、ボーリング調査用の専用装置を掘削地点に設置することなく、その掘削地点の地盤の地盤試料を採取することができる。
従って、地盤試料採取装置を使用する地盤試料採取方法によって、掘削中の地盤の地盤試料を好適に採取することができるので、より短時間に低コストで地盤調査を行うことができる。
【発明の効果】
【００１５】
本発明によれば、掘削装置の掘削ヘッドを回転させて所定の掘削地点の地盤を掘削する過程において、その掘削ヘッドによる地盤の掘削が不能となった場合に、その掘削ヘッドに地盤試料採取装置を取り付けて、掘削不能となった地盤の地盤試料を地盤試料採取装置によって採取することができる。
このように、掘削装置の掘削ヘッドに着脱可能に備えられる地盤試料採取装置を用いることによって、掘削中の掘削装置を掘削地点から移動させることなく、また、ボーリング調査用の専用装置を掘削地点に設置することなく、その掘削地点の地盤の地盤試料を採取することができるので、この地盤試料採取装置を使用することにより、より短時間に低コストで地盤調査を行うことができる。
また、地盤試料採取装置によって、掘削中である掘削地点の地盤の地盤試料を採取することができるので、その掘削地点におけるより正確な地盤情報や地質情報を得ることができる。
よって、この地盤試料採取装置を用いることにより、掘削中の地盤の地盤試料を好適に採取することができ、掘削作業を良好に進めることが可能になる。
【発明を実施するための最良の形態】
【００１６】
以下、本発明の実施形態たる地盤試料採取装置及び地盤試料採取方法について、図面を参照して説明する。
【００１７】
地盤試料採取装置１は、図１から図３に示すように、所望する地盤試料を取り込むための試料採取部であるパイプ部２と、パイプ部２の先端側に備えられる複数（本実施形態では４つ）の切削チップ３…と、パイプ部２の基端側に備えられる接続部４と、パイプ部２の先端の開口に取り付けられている蓋部５と、を備えている。
【００１８】
パイプ部２は、略円筒形状を呈しており、パイプ部２の上端となる基端側には、後述する掘削装置１００の掘削ヘッド（オーガヘッド５０）に地盤試料採取装置１を装着するための接続部４が設けられている。
また、パイプ部２の下端となる先端側は開口し、切削チップ３によって切削された地盤試料をパイプ部２内に取り込むための取込口２ａが形成されている。取込口２ａには、図２に示すように、その開口の円周方向に沿って等間隔に４つの切削チップ３が取り付けられている。
また、パイプ部２の取込口２ａの近傍であってパイプ部２の内壁面には、蓋部５の移動を規制するストッパー６が設けられている。
【００１９】
切削チップ３は、極めて硬質な材料からなる切削刃を有し、地盤や岩盤を切削する。
【００２０】
接続部４は、その断面が多角形状を呈する柱状の軸部材であり、後述する掘削ヘッド（オーガヘッド５０）の下端である先端部に設けられた凹状の嵌合孔に挿入可能な形状に形成されている。
特に、接続部４は、後述する掘削装置１００の掘削ヘッドに交換可能に備えられる掘削ビット６０（図４参照）の接続部６０ａと同じ形状や構成を有しており、地盤試料採取装置１を掘削ヘッドに着脱可能に装着するために設けられている。そして、図４（ａ）、（ｂ）に示すように、その掘削ヘッドであるオーガヘッド５０の掘削ビット６０を取り外して、そのオーガヘッド５０の先端部に接続部４を介して地盤試料採取装置１を着脱可能に取り付けることが可能になっている。
なお、オーガヘッド５０を備える掘削装置１００については後述する。
【００２１】
蓋部５は、取込口２ａを閉蓋するための円板部５ａと、円板部５ａの上面においてパイプ部２の内側上方に向かって略Ｔ字形状を呈して延在する係合部５ｂと、円板部５ａの下面においてパイプ部２の外側下方に向かって延在する当接部５ｃと、を有している。
また、円板部５ａの側面における係合部５ｂに対応する位置には、側方に延在する突部５ｄが形成されており、その突部５ｄと係合部５ｂとの間に係合溝５ｅが形成されている。
【００２２】
ストッパー６は、図３、図５に示すように、パイプ部２の内壁面に内接するように設けられ、取込口２ａの開口の円周方向に沿う略環形状を呈する第１ストッパー６ａと、第１ストッパー６ａの上面において取込口２ａの開口の中心を挟んで対向する位置にそれぞれ設けられる第２ストッパー６ｂと、を有している。
なお、第１ストッパー６ａにおける取込口２ａの開口の中心を挟んで対向する所定位置にはそれぞれ切り欠かれてなる溝部６ｃが形成されており、第１ストッパー６ａは溝部６ｃによって２つに分断されている。つまり、第１ストッパー６ａは、略Ｃ字形状を呈する２つのストッパー部材からなる。
【００２３】
そして、地盤試料採取装置１のパイプ部２の取込口２ａに備えられている蓋部５は、図３、図５（ａ）に示すように、蓋部５の係合溝５ｅにストッパーの第１ストッパー６ａを係合させるようにして、パイプ部２の取込口２ａに取り付けられている。これによって、蓋部５がパイプ部２の中心軸方向に沿って上下に移動しないようになっており、蓋部５がパイプ部２の取込口２ａを閉蓋している。
なお、図５（ａ）に示すように、蓋部５の係合部５ｂの側面が、ストッパー６の第２ストッパー６ｂの側面に当接する状態で、蓋部５は取込口２ａの開口を閉蓋している。
【００２４】
次に、本発明の地盤試料採取装置１が装着されるオーガヘッド５０を備える掘削装置１００や、その掘削装置１００を所定の掘削地点に設置する杭圧入引抜機２００について説明する。
【００２５】
掘削装置１００は、図６に示すように、オーガケーシング１０と、オーガケーシング１０内の中空部をその軸方向に連通するように配置されるオーガスクリュー２０と、オーガスクリュー２０をその軸心を中心に正方向と逆方向のそれぞれに回転させるオーガモータ３０と、オーガスクリュー２０を上下動させる油圧シリンダ４０と、オーガスクリュー２０の下端である先端部に設けられているオーガヘッド５０等を備えている。
なお、図中、オーガモータ３０と油圧シリンダ４０とオーガケーシング１０は杭圧入引抜機２００によって支持されている。
そして、掘削装置１００は、オーガスクリュー２０を介してオーガヘッド５０を正方向に回転させることで、地盤を掘削することが可能になっている。
【００２６】
杭圧入引抜機２００は、地面に圧入された既設の杭（例えば、図６に示す鋼矢板Ｕ）から反力をとって地盤に対して新たな杭を圧入すると共に、圧入された杭上を移動できるように構成されている周知の装置である。そして、杭圧入引抜機２００は、既設杭上を移動すると共に新たな杭を地盤に圧入することを可能としている。
杭圧入引抜機２００は、図６に示すように、既設杭Ｕを把持するクランプ装置を有するベース部２０１と、ベース部２０１上のマスト部２０２に設けられるリール部２０３に巻回されている、掘削装置１００のオーガモータ３０や油圧シリンダ４０に作動油を供給するための油圧ホース２０３ａと、図示しないシリンダにより上下に昇降されるチャック装置２０４等を備えている。
そして、掘削装置１００は、図６に示すように、杭圧入引抜機２００のチャック装置２０４によってオーガケーシング１０が支持されるようにして、掘削地点である地面に設置されている。
なお、掘削装置１００や杭圧入引抜機２００の構成や動作は従来公知のものと同様であるので、ここでは詳述しない。
【００２７】
次に、本発明の地盤試料採取方法であって、地盤試料採取装置１が地盤試料を採取する際の動作について説明する。
【００２８】
図６に示すように、所定の掘削地点に設置された掘削装置１００は、オーガヘッド５０を正方向に回転させることによって、地盤を掘削しつつ、そのオーガヘッド５０を地中深くに掘り進めていく。
そして、図７に示すように、そのオーガヘッド５０によって掘削することができない地盤や岩盤にオーガヘッド５０が突き当たった場合、そのオーガヘッド５０を地中から抜き出して、図４（ｂ）に示すように、オーガヘッド５０の掘削ビット６０を取り外すとともに、そのオーガヘッド５０の先端部に地盤試料採取装置１を取り付ける。
【００２９】
次いで、地盤試料採取装置１を取り付けたオーガヘッド５０を、再度その掘削地点の地中に螺入させる。
この際、オーガヘッド５０を正方向に回転させるようにして、地盤試料採取装置１を地中に螺入させることによって、蓋部５が地盤試料採取装置１のパイプ部２の取込口２ａを閉蓋し、パイプ部２内に既に掘削した地盤片や岩盤片が入り込んでしまわないようになっている。
【００３０】
具体的には、図５（ａ）に示すように、オーガヘッド５０を正方向に回転させることにより、地盤試料採取装置１も正方向に回転することとなって、パイプ部２やパイプ部２に設けられているストッパー６も地盤試料採取装置１とともに正方向に回転する。そして、地盤片や土砂を掻き分けるようにして地中を掘り進むオーガヘッド５０や地盤試料採取装置１には、その地盤片や土砂による土圧がかかり、その土圧によって蓋部５は、パイプ部２の開口から奥側へと向かう下方からの押圧力を受けることとなる。この土圧に伴う押圧力を受けた蓋部５は、地盤側から圧し付けられた作用力（押圧力）によって支持されることとなり、正方向に回転するパイプ部２（ストッパー６）に対して蓋部５は相対的に逆方向に回転するようになり、蓋部５の係合部５ｂの側面がストッパー６の第２ストッパー６ｂの側面に当接するように、蓋部５が取込口２ａの開口を閉蓋するようになっている（図５（ａ）参照）。
【００３１】
次いで、図８に示すように、オーガヘッド５０により掘削することができなかった地盤に地盤試料採取装置１が突き当たった目的の深度において、そのオーガヘッド５０を逆方向に回転させる。
このオーガヘッド５０を逆方向に回転させることにより、地盤試料採取装置１も逆方向に回転することとなって、パイプ部２やパイプ部２に設けられているストッパー６も地盤試料採取装置１とともに逆方向に回転する。
この際、蓋部５の当接部５ｃは地盤に当接しているとともに、蓋部５は土圧に伴う押圧力によって支持されているので、図５（ｂ）に示すように、逆方向に回転するパイプ部２（ストッパー６）に対して蓋部５は相対的に正方向に回転するようになる。そして、蓋部５の係合部５ｂの側面と、ストッパー６の第２ストッパー６ｂの側面とが離間するように蓋部５が回転し、蓋部５の突部５ｄと第１ストッパー６ａの溝部６ｃとが位置合わせされる（図５（ｂ）参照）。
そして、地盤の土圧に伴う押圧力によって蓋部５は押し上げられ（図５（ｃ）参照）、蓋部５は取込口２ａの開口を開蓋する。
【００３２】
次いで、蓋部５が取込口２ａの開口を開蓋した状態で、オーガヘッド５０を正方向に回転させることに伴い、地盤試料採取装置１を正方向に回転させることにより、地盤試料採取装置１は、その切削チップ３によって地盤を切削する。
【００３３】
そして、図９に示すように、切削チップ３により切削されて円柱コア状に刳り貫かれた地盤試料Ｓは、蓋部５をパイプ部５内に押し上げつつ、パイプ部５の内部に入り込み、パイプ部５内に取り込まれて保持される。
【００３４】
次いで、そのオーガヘッド５０を地中から抜き出すことによって、地盤試料採取装置１のパイプ部５内に取り込まれて採取されている地盤試料Ｓを地上に引き上げて、その地盤試料Ｓに基づき、掘削不能となった地盤の地質などを調査することができる。そして、その地盤試料Ｓの調査結果に基づき、その地盤に適したオーガヘッドを選択することや好適な掘削手法について検討することができる。
【００３５】
このように、本発明に係る地盤試料採取装置１は、掘削装置１００のオーガヘッド５０の先端部に装着することができるので、オーガヘッド５０を回転させて、所定の掘削地点の地盤を掘削する掘削装置１００で地盤を掘削する過程において、そのオーガヘッド５０による地盤の掘削が不能となった場合に、そのオーガヘッド５０に地盤試料採取装置１を取り付けて、掘削不能となった地盤の地盤試料Ｓを地盤試料採取装置１によって採取することができる。
つまり、掘削中の掘削装置１００を移動させることなく、また、ボーリング調査用の専用装置を掘削地点に設置することなく、その掘削地点の地盤の地盤試料Ｓを採取することができるので、この地盤試料採取装置１を使用することによって、より短時間に低コストで地盤調査を行うことができる。
【００３６】
また、地盤試料採取装置１によって、実際に掘削中である掘削地点における地盤の地盤試料Ｓを採取することができるので、その掘削地点のより正確な地盤情報を得ることができる。そして、その正確な地盤情報に基づいて、その掘削地点に適したオーガヘッドや掘削手法を検討することができ、また、その掘削地点における掘削コストを速やかに算出することが可能になる。
【００３７】
特に、地盤試料採取装置１は、オーガヘッド５０が地盤を掘削する正方向に回転する際には取込口２ａを蓋部５により閉蓋し、また、オーガヘッド５０が逆方向に回転する際に取込口２ａの蓋部５を開蓋することができるので、所望する掘削位置（掘削深度）まではオーガヘッド５０を正回転させて取込口２ａを閉蓋し、掘削不能となった地盤にオーガヘッド５０が到達し、地盤試料採取装置１がその地盤に突き当たった状態でオーガヘッド５０を逆回転させることによって取込口２ａを開蓋して、再度オーガヘッド５０を正回転させて切削チップ３によって地盤を切削し、その地盤の地盤試料Ｓをパイプ部２内に取り込んで採取することができる。
よって、地盤試料採取装置１は、地盤試料Ｓを採取すべき掘削位置（掘削深度）以外の地盤サンプルをパイプ部２に取り込んで採取してしまうことなく、所望する掘削位置（掘削深度）の地盤試料Ｓをより好適に採取することができる。
従って、その掘削地点におけるより正確な地盤情報を得ることができる。
【００３８】
従って、この地盤試料採取装置１を用いる地盤試料採取方法によって、掘削中の地盤の地盤試料Ｓを好適に採取することができ、掘削作業を良好に進めることが可能になる。
【００３９】
なお、本発明は上記実施形態に限られるものではない。
例えば、図１０に示すように、切削チップ３により切削されて刳り貫かれた地盤試料Ｓがパイプ部２内に収容される際に、その地盤試料Ｓや地盤試料Ｓにより押し上げられる蓋部５が通過する際にはパイプ部５の円筒壁面中に没入され（図１０（ａ）参照）、蓋部５や地盤試料Ｓが通過した後に図示しないバネ部材などにより押し戻されて所定位置に復元される（図１０（ｂ）参照）サンプル保持部７を地盤試料採取装置１ａのパイプ部２に備えるようにしてもよい。
【００４０】
サンプル保持部７は、地盤試料採取装置１ａのパイプ部２に取り込んだ地盤試料Ｓの下端を支持し保持することが可能であり、パイプ部２内に取り込んだ地盤試料Ｓが脱落してしまうことを防ぐことができる。
このサンプル保持部７をパイプ部２に備えることにより、地盤試料採取装置１ａによって地盤試料Ｓをより確実に採取することが可能になる。
なお、このサンプル保持部７に関する技術は、周知のボーリング装置におけるサンプルコア脱落防止機構などに用いられているので、ここでは詳述しない。
【００４１】
なお、本発明の適用は上述した実施形態に限定されることなく、本発明の趣旨を逸脱しない範囲で適宜変更可能である。
例えば、三点支持の掘削機器などに、本発明の地盤試料採取装置を装着して使用することも可能である。
【図面の簡単な説明】
【００４２】
【図１】本発明に係る地盤試料採取装置を示す側面図である。
【図２】本発明に係る地盤試料採取装置を示す下面図である。
【図３】地盤試料採取装置の一部を破断して示す側面図である。
【図４】掘削装置のオーガヘッド（ａ）と、地盤試料採取装置を装着したオーガヘッド（ｂ）を示す側面図である。
【図５】地盤試料採取装置の蓋部を示す説明図であり、蓋部が取込口を閉蓋している状態（ａ）、蓋部の係合部とストッパーの係合が解除された状態（ｂ）、蓋部が取込口を開蓋した状態（ｃ）、を示している。
【図６】掘削装置と杭圧入引抜機を示す説明図である。
【図７】掘削装置のオーガヘッドが地盤を掘削する状態を示す説明図である。
【図８】オーガヘッドに装着された地盤試料採取装置が地盤試料を採取する状態を示す説明図である。
【図９】本発明に係る地盤試料採取装置内に地盤試料を採取した状態を示す一部破断側面図である。
【図１０】本発明の変形例である地盤試料採取装置内に地盤試料を採取する状態を示す一部破断側面図（ａ）と、その地盤試料採取装置内に地盤試料を採取した状態を示す一部破断側面図（ｂ）である。
【符号の説明】
【００４３】
１、１ａ  地盤試料採取装置
２        パイプ部（試料採取部）
２ａ      取込口
３        切削チップ
４        接続部
５        蓋部
５ａ      円板部
５ｂ      係合部
５ｃ      当接部
５ｄ      突部
５ｅ      係合溝
６        ストッパー
６ａ      第１ストッパー
６ｂ      第２ストッパー
６ｃ      溝部
７        サンプル保持部
１０      オーガケーシング
２０      オーガスクリュー
３０      オーガモータ
４０      油圧シリンダ
５０      オーガヘッド（掘削ヘッド）
６０      掘削ビット
６０ａ    接続部
１００    掘削装置
２００    杭圧入引抜機
２０１    ベース部
２０２    マスト部
２０３    リール部
２０３ａ  油圧ホース
２０４    チャック装置
Ｓ        地盤試料
【図１】
0004709034.tif 000002
【図２】
0004709034.tif 000003
【図３】
0004709034.tif 000004
【図４】
0004709034.tif 000005
【図５】
0004709034.tif 000006
【図６】
0004709034.tif 000007
【図７】
0004709034.tif 000008
【図８】
0004709034.tif 000009
【図９】
0004709034.tif 000010
【図１０】
0004709034.tif 000011